(57)【要約】【課題】電池を電池室の外側へ付勢する弾性部材に起因する電池室のスペースの拡大を抑制することを課題とする。【解決手段】逆装填防止用の凹部（１６４）が設けられた電池（１６０）が挿抜される電池室（１２２）と、前記電池室の奥部に設けられ、前記電池室の前記奥部まで正規の向きで挿入された前記電池の前記凹部と嵌り合う逆装填防止用の凸部（１３４）と、前記凸部に支持され、前記電池室の前記奥部へ挿入される前記電池により弾性変形され、弾性復元力により前記電池を抜き出し方向へ付勢する弾性部材（１５０）と、を備える電子機器（１００）。【選択図】図２
2010129474.tif 000002
【特許請求の範囲】
【請求項１】
逆装填防止用の凹部が設けられた電池が挿抜される電池室と、
前記電池室の奥部に設けられ、前記電池室の前記奥部まで正規の向きで挿入された前記電池の前記凹部と嵌り合う逆装填防止用の凸部と、
前記凸部に支持され、前記電池室の前記奥部へ挿入される前記電池により弾性変形され、弾性復元力により前記電池を抜き出し方向へ付勢する弾性部材と、
を備える電子機器。
【請求項２】
請求項１に記載の電子機器であって、
前記凸部が、前記電池室の前記奥部における長手方向一端側に寄せて配され、
前記弾性部材が、前記奥部における長手方向一端側から中央側へ向けて延び、前記電池の前記凹部が設けられた奥壁部に圧接するアーム部を備える電子機器。
【請求項３】
請求項２に記載の電子機器であって、
前記電池室の前記奥部に配され、前記電池の前記奥壁部に凹設された段差部に配された電池側端子部と接触する機器側端子部を備え、
前記アーム部が、前記電池室の前記奥部における長手方向と直交する方向について、前記段差部よりも幅広である電子機器。
【請求項４】
請求項２に記載の電子機器であって、
前記電池室の前記奥部における長手方向他端側に配され、前記電池が前記電池室の前記奥部まで正規の向きで挿入された場合に、前記電池の前記奥壁部に配されたマイナス端子と接触する第１端子と、
前記電池室の前記奥部における前記アーム部と前記第１端子との間に配され、前記電池が前記電池室の前記奥部まで正規の向きで挿入された場合に、前記電池の前記奥壁部における前記凹部と前記マイナス端子との間に配されたプラス端子と接触する第２端子と、
を備え、
前記電池が、前記凹部が前記電池室の前記奥部における長手方向他端側に位置する向きで、前記電池室に装填された場合に、前記アーム部の先端部が、前記プラス端子よりも前記電池室の前記奥部における長手方向一端側に位置する電子機器。
【請求項５】
請求項２に記載の電子機器であって、
前記弾性部材が、前記アーム部の基端部と一体で形成され、前記凸部に収容されるコイル部を備える電子機器。
【発明の詳細な説明】
【技術分野】
【０００１】
本発明は、電子機器に関する。
【背景技術】
【０００２】
電池室の奥部に電池を抜き出し方向へ付勢する弾性部材を設けた電子機器が知られている（例えば、特許文献１、２参照）。特許文献１に記載の電子機器では、上記弾性部材として圧縮コイルバネが用いられているが、弾性収縮した状態での圧縮コイルバネの長さの分、電池室のスペースが拡大する。また、特許文献２に記載の電子機器では、上記弾性部材として捩りバネが用いられているが、捩じりバネの支持部の高さの分、電池室のスペースが拡大する。
【特許文献１】特開２００１−２２３４８０号公報
【特許文献２】特開２００６−２２０７８５号公報
【発明の開示】
【発明が解決しようとする課題】
【０００３】
電池を電池室の抜き出し方向へ付勢する弾性部材に起因する電池室のスペースの拡大を抑制することを課題とする。
【課題を解決するための手段】
【０００４】
上記課題を解決するために、本発明の第１の態様においては、逆装填防止用の凹部（１６４）が設けられた電池（１６０）が挿抜される電池室（１２２）と、前記電池室の奥部に設けられ、前記電池室の前記奥部まで正規の向きで挿入された前記電池の前記凹部と嵌り合う逆装填防止用の凸部（１３４）と、前記凸部に支持され、前記電池室の前記奥部へ挿入される前記電池により弾性変形され、弾性復元力により前記電池を抜き出し方向へ付勢する弾性部材（１５０）と、を備える電子機器（１００）を提供する。
【０００５】
なお、上記の発明の概要は、本発明の必要な特徴の全てを列挙したものではない。また、これらの特徴群のサブコンビネーションもまた、発明となりうる。
【発明を実施するための最良の形態】
【０００６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００７】
図１は、本実施形態に係るデジタルカメラ１００を、底側を上側に向けた状態で示した斜視図である。この図に示すように、デジタルカメラ１００は、矩形箱状の筐体１０２を備えている。この筐体１０２は、沈胴式のレンズ鏡筒、ＣＣＤ等の撮像素子、シャッタ等を有する撮像部、電池等を収容している。また、筐体１０２は、レンズ鏡筒の光軸方向にかけて薄型に形成されており、前面にレンズ鏡筒を備え、背面に表示パネル１０４及び操作部１０８を備えている。
【０００８】
なお、以下の説明では、レンズ鏡筒の光軸方向を前後方向、筐体の底側を下側に向けた状態における筐体１０２の鉛直方向を上下方向と称する。また、前後方向及び上下方向の双方と直交する水平方向を左右方向と称する。さらには、電池を挿入する方向を電池挿入方向、電池を抜き出す方向を電池抜き出し方向、及び電池を挿抜する方向を電池挿抜方向と称する。なお、電池挿抜方向と上下方向とは一致している。
【０００９】
前後方向にかけて薄型の筐体１０２における底面１０６は、左右方向を長手方向とする矩形状に形成されており、底面１０６における左右方向の一端側には、開閉蓋１１０が配されている。開閉蓋１１０は、左右方向を長手方向とする矩形板状に形成されており、底面１０６に形成された矩形状の開口１１２に嵌め込まれている。
【００１０】
筐体１０２の内部には、電池が挿抜される電池室ユニット１２０が配されている。電池室ユニット１２０は、矩形体状の電池室１２２を形成している。当該電池室１２２は、開口１１２と上下方向に対向して配されており、開口１１２から電池室１２２へ電池が挿入される。また、電池室１２２における電池挿入方向の奥側（以下、挿入方向奥側という）には、端子部１４０と、捩りコイルバネ１５０とが配されている。
【００１１】
また、開閉蓋１１０は、左右方向中央側に配されたヒンジ１１６を介して電池室ユニット１２０に回転可能に支持されており、開口１１２を開閉する。また、開閉蓋１１０には、ロック機構１１４が配されており、閉じた状態の開閉蓋１１０をロック機構１１４により筐体１０２にロックすることができる。
【００１２】
図２は、電池室ユニット１２０及び電池室ユニット１２０に装填される電池１６０を示す斜視図である。この図に示すように、電池室ユニット１２０は、電池室１２２を形成する電池ボックス１２４を備えている。この電池ボックス１２４は、左右一対の側壁１２６、１２８と、左右一対の側壁１２６、１２８の上下両端部を連結する奥壁１３０及び開口壁１３２とを備えている。側壁１２６は電池室１２２より左右方向中央側に配され、側壁１２８は電池室１２２より左右方向外側に配されている。奥壁１３０は、電池室１２２の挿入方向奥側に配され、開口壁１３２は、電池室１２２の電池挿入方向の手前側に配されている。
【００１３】
奥壁１３０と側壁１２６との隅部には、電池１６０の逆装填防止用の凸部１３４が形成されている。一方、電池１６０における挿入方向奥側の壁部（以下、奥壁部１６２という）における左右方向中央側の角部には、凸部１３４と凹凸関係にある凹部１６４が形成されている。
【００１４】
奥壁１３０における左右方向中央側には、捩りコイルバネ１５０が配され、奥壁１３０における左右方向外側には、端子部１４０が配されている。捩りコイルバネ１５０は凸部１３４に支持されている。また、端子部１４０は、左右方向中央側から外側へ並列されたプラス端子１４２、温度センサ端子１４４、及びマイナス端子１４６を備えている。また、開口壁１３２における左右方向中央側には、開閉蓋１１０がヒンジ１１６を介して回転可能に支持され、また、開口壁１３２における左右方向外側には、電池１６０を電池ボックス１２４にロックするロック機構１２９が配されている。
【００１５】
図３は、捩りコイルバネ１５０を示す斜視図である。この図に示すように、捩りコイルバネ１５０は、ダブルトーションバネであって、コ字状のアーム部１５２と、コ字状のアーム部１５２の両端を螺旋状に巻回した一対のコイル部１５４と、コイル部１５４の端部をコイル部１５４の軸方向に直角に屈曲させたフック部１５６とを備えている。一対のコイル部１５４は同軸上に配され、また、アーム部１５２は、コイル部１５４の軸方向と直交する方向へ延びている。
【００１６】
図４は、電池ボックス１２４の奥部を示す斜視図である。この図に示すように、凸部１３４は、前後方向に見て矩形状に形成され内部は中空になっており、その内部には、捩りコイルバネ１５０のコイル部１５４が収容されている。凸部１３４には前後方向に延びるピン１５８が固定されており、当該ピン１５８がコイル部１５４に挿通されている。また、凸部１３４の側壁１３１には、捩りコイルバネ１５０のアーム部１５２が挿通される開口１３６が形成されており、アーム部１５２は、開口１３６から電池室１２２へ延びている。
【００１７】
凸部１３４は、奥壁１３０における端子部１４０が配される面１３７より挿入方向手前側へ突出しており、当該面１３７と凸部１３４との間は、面１３７と比較して薄肉化され、電池挿入方向奥側へ凹んだ段差部１３８となっている。プラス端子１４２、温度センサ端子１４４、及びマイナス端子１４６は、電池抜き出し方向へ突出した板バネであって、それぞれ、電池１６０の奥壁部１６２に設けられたプラス端子、温度センサ端子、マイナス端子に接触する。
【００１８】
図５は、凸部１３４及び捩りコイルバネ１５０を拡大して示す正面断面図である。この図に示すように、奥壁１３０には、凸部１３４と電池挿抜方向に対向する開口１３９が形成されている。また、凸部１３４における棚部１３５と側壁１２６との境界部には、前後方向に沿って延びるスリット１３３が形成されており、このスリット１３３には、フック部１５６が挿通されている。
【００１９】
フック部１５６は、電池抜き出し方向へ延び、側壁１２６に当接しており、アーム部１５２は、棚部１３５に当接すると共に左右方向外側へ電池抜き出し方向に傾斜しつつ延びている。ここで、コイル部１５４は、弾性変形しており、フック部１５６を側壁１２６に圧接させると共に、アーム部１５２を棚部１３５に圧接させている。
【００２０】
図６は、電池ボックス１２４を挿入方向奥側から見た平面図である。この図に示すように、一対のコイル部１５４及び一対のコイル部１５４に挿通されたピン１５８を、奥壁１３０に形成された開口１３９から視認することができる。
【００２１】
図７は、電池ボックス１２４の奥部を示す分解斜視図である。この図に示すように、捩りコイルバネ１５０は、開口１３９から凸部１３４の内部に挿入される。アーム部１５２は、開口１３６を通して電池室１２２へ挿入され、フック部１５６は、スリット１３３を通して側壁１２６の外側へ挿入される。
【００２２】
凸部１３４における前後一対の壁部には、ピン１５８と嵌合する嵌合穴１５９が形成されており、捩りコイルバネ１５０が凸部１３４に取付けられた状態で、ピン１５８が嵌合穴１５９に圧入される。嵌合穴１５９に圧入されたピン１５８は、コイル部１５４を挿通するので、捩りコイルバネ１５０の凸部１３４からの脱落がピン１５８により防止される。
【００２３】
図８は、図６の８−８断面図である。この図に示すように、電池１６０に設けられた逆装填防止用の凹部１６４と、電池ボックス１２４に設けられた逆装填防止用の凸部１３４とが、電池挿抜方向に対向する場合、電池１６０が電池室１２２に正規の向きで挿入されたことになる。また、電池１６０の奥壁部１６２には、端子部１７０が端子部１４０に電池挿抜方向に対向して配されている。端子部１７０は、左右方向中央側から外側へ並列されたプラス端子１７２、温度センサ端子１７４、及びマイナス端子１７６を備えている。プラス端子１７２、温度センサ端子１７４、及びマイナス端子１７６はそれぞれ、プラス端子１４２、温度センサ端子１４４、及びマイナス端子１４６と電池挿抜方向に対向している。
【００２４】
電池１６０が電池室１２２に挿入された場合、まず、電池１６０の奥壁部１６２が捩りコイルバネ１５０のアーム部１５２の先端部に当接する。ここで、アーム部１５２の先端部は、端子部１７０より左右方向中央側に配されており、端子部１７０には当接しない。そして、電池１６０がさらに電池室１２２の奥側へ押し込まれた場合、捩りコイルバネ１５０のコイル部１５４が弾性変形して、アーム部１５２が挿入方向奥側へ変位する。ここで、アーム部１５２は段差部１３８に収容される。
【００２５】
電池１６０を電池室から抜き出す場合には、開閉蓋１１０を開放してロック機構１２９を解除する。すると、電池１６０が捩りコイルバネ１５０の弾性復元力により抜き出し方向へ押され、電池１６０の挿入方向手前が、電池室１２２から突出する。
【００２６】
図９は、電池１６０を電池室１２２に装填した状態を示す正面断面図である。この図に示すように、電池１６０が、正規の向きで電池室１２２の最も奥側まで挿入された場合、プラス端子１４２、温度センサ端子１４４、及びマイナス端子１４６が、それぞれプラス端子１７２、温度センサ端子１７４、及びマイナス端子１７６に接触する。また、凹部１６４と凸部１３４とが嵌り合う。さらに、捩りコイルバネ１５０のアーム部１５２は、段差部１３８まで後退する。
【００２７】
図１０は、電池１６０が、凹部１６４が、端子部１４０が設けられた面１３７に対向する向き、即ち、左右逆向きに挿入された状態を示す正面断面図である。この図に示すように、電池１６０が電池室１２２へ逆向きに挿入された場合、奥壁部１６２における凹部１６４とは左右反対側の角部が、凸部１３４に当接する。これにより、電池１６０の電池室１２２の最も奥側まで挿入することができず、電池１６０をロック機構１２９により電池ボックス１２４にロックできない。よって、ユーザーは、電池１６０を電池室１２２へ左右逆向きに挿入したことを認識できる。
【００２８】
また、電池１６０を電池室１２２へ左右逆向きに挿入した場合、捩りコイルバネ１５０のアーム部１５２の先端部が、端子部１７０と電池挿抜方向に対向する。ここで、アーム部１５２の先端部は、プラス端子１７２より左右方向中央側に位置して、プラス端子１７２には接触しない。
【００２９】
また、電池１６０の奥壁部１６２には、プラス端子１７２、温度センサ端子１７４、及びマイナス端子１７６がそれぞれ配される３個の凹部１６６が形成されている。当該凹部１６６の前後方向（即ち、奥壁部１６２の長手方向と直交する方向）の幅は、アーム部１５２の先端部の当該方向についての幅より狭く、アーム部１５２の先端部は、凹部１６６から当該方向の両側へ食み出している。このため、アーム部１５２の先端部は、凹部１６６の周縁部に当接するが、温度センサ端子１７４及びマイナス端子１７６には接触しない。
【００３０】
以上説明したように、本実施形態に係るデジタルカメラ１００では、電池１６０を電池室１２２から抜き出す方向へ付勢する捩りコイルバネ１５０を、電池１６０の逆装填の防止を目的として電池室１２２の奥部に設けられている凸部１３４に支持している。即ち、他の用途を目的として電池室１２２の奥部に設けられている部位を、捩りコイルバネ１５０の支持部として用いることにより、電池室１２２の奥部に捩りコイルバネ１５０の支持スペースを追加することを不要にしている。これにより、電池室１２２のスペースの挿入方向奥側への拡大を抑制でき、電池室ユニット１２０の大型化を抑制でき、以って、デジタルカメラ１００の大型化を抑制できる。
【００３１】
また、電池１６０を抜き出す方向へ付勢するバネを捩りコイルバネ１５０として、付勢力を発生するコイル部１５４を、凸部１３４に収容している。また、電池１６０の奥壁部１６２に設けられた凹部１６４と凸部１３４とは凹凸関係にある。このため、電池１６０の奥壁部１６２と電池ボックス１２４の奥壁１３０との間には、捩りコイルバネ１５０のアーム部１５２の線径分の隙間が存すればよい。よって、電池室１２２のスペースの挿入方向奥側への拡大をより一層抑制でき、電池室ユニット１２０の大型化をより一層抑制でき、以って、デジタルカメラ１００の大型化をより一層抑制できる。
【００３２】
また、アーム部１５２は、奥壁１３０における薄肉化されて電池挿入方向奥側へ凹んだ段差部１３８に格納されるので、端子部１４０が設けられた面１３７と電池１６０の奥壁部１６２との間には、上記のアーム部１５２の線径分の隙間も要しない。よって、電池室１２２のスペースの挿入方向奥側への拡大をより一層抑制できる。
【００３３】
また、捩りコイルバネ１５０のアーム部１５２が、電池室１２２の奥部における長手方向一端部に配された凸部１３４から長手方向中央側へ延び、電池１６０の奥壁部１６２に圧接している。これにより、捩りコイルバネ１５０が奥壁部１６２に作用させる付勢力の作用点の長手方向一端側への偏りを抑制できる。よって、当該付勢力により電池室１２２から押し出される電池１６０の電池挿抜方向に対する傾きを抑制でき、以って、電池１６０を電池室１２２からスムーズに抜き出すことができる。
【００３４】
また、本実施形態に係るデジタルカメラ１００では、電池１６０を電池室１２２へ左右逆向きに挿入した場合、アーム部１５２の先端部は、プラス端子１７２より左右方向中央側に位置して、プラス端子１７２には接触しない。これにより、マイナス端子１７６とプラス端子１７２とがアーム部１５２により接続されることを防止でき、短絡を防止できる。
【００３５】
また、プラス端子１７２、温度センサ端子１７４、及びマイナス端子１７６が設けられた凹部１６６の前後方向（即ち、奥壁部１６２の長手方向と直交する方向）の幅は、アーム部１５２の先端部の当該方向についての幅より狭く、アーム部１５２の先端部は、凹部１６６から当該方向の両側へ食み出している。このため、アーム部１５２の先端部は、温度センサ端子１７４及びマイナス端子１７６にも接触しない。よって、マイナス端子１７６、温度センサ端子１７４、及びプラス端子１７２がアーム部１５２により接続されることを防止でき、短絡を防止できる。
【００３６】
図１１は、電池室ユニット１２０の他の実施形態に係る電池室ユニット２２０を示す正面断面図である。この図に示すように、電池室ユニット２２０が備える電池ボックス２２４では、奥壁１３０と側壁２２６との隅部に、電池２６０の逆装填防止用の凸部１３４が形成され、奥壁１３０と側壁２２８との隅部に、電池２６０の逆装填防止用の凸部２３４が形成されている。また、電池２６０の奥壁部２６２には、凸部１３４に対応する凹部１６４と、凸部２３４に対応する凹部２６４とが形成されている。
【００３７】
凹部１６４及び凹部２６４は、奥壁部２６２における幅方向一端側（例えば、図中手前側）に寄せて配されており、凸部１３４及び凸部２３４も同様に、奥壁１３０における幅方向一端側（例えば、図中手前側）に寄せて配されている。このため、電池２６０を電池室１２２へ左右逆向きに挿入した場合には、奥壁部２６２の左右両端部が、凸部１３４及び凸部２３４に当接するので、ユーザーは、電池２６０を電池室１２２へ逆向きに挿入したことを認識できる。なお、凸部１３４と凸部２３４との左右方向の長さを異ならせることによっても、電池２６０を電池室１２２へ逆向きに挿入することを防止できる。
【００３８】
凸部１３４には、捩りコイルバネ１５０のコイル部１５４が収容されており、捩りコイルバネ１５０のアーム部１５２が、凸部１３４から電池室１２２へ延びている。また、凸部２３４においても、捩りコイルバネ１５０のコイル部１５４が収容されており、捩りコイルバネ１５０のアーム部１５２が、凸部２３４から電池室１２２へ延びている。
【００３９】
本実施形態によれば、電池室１２２のスペースの挿入方向奥側への拡大を抑制でき、電池室ユニット１２０の大型化を抑制でき、以って、デジタルカメラ１００の大型化を抑制できる。また、捩りコイルバネ１５０を電池室１２２の奥部における長手方向両端側に配して、奥壁部２６２における長手方向両端側に捩りコイルバネ１５０の付勢力を作用させている。これにより、当該付勢力により電池室１２２から押し出される電池２６０の電池挿抜方向に対する傾きを抑制でき、以って、電池２６０を電池室１２２からスムーズに抜き出すことができる。
【００４０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。例えば、本実施形態に係るデジタルカメラは、携帯情報端末（いわゆる、ＰＤＡ）、携帯電話等の他の電子機器に変更してもよい。また、本実施形態では、電池を電池室の外側へ付勢する弾性部材を捩りコイルバネとしたが、捩じりバネ、圧縮コイルバネ等の他の弾性部材も適用できる。
【００４１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【図面の簡単な説明】
【００４２】
【図１】本実施形態に係るデジタルカメラ１００を、底側を上側に向けた状態で示した斜視図である。
【図２】電池室ユニット１２０及び電池室ユニット１２０に装填される電池１６０を示す斜視図である。
【図３】捩りコイルバネ１５０を示す斜視図である。
【図４】電池ボックス１２４の奥部を示す斜視図である。
【図５】凸部１３４及び捩りコイルバネ１５０を拡大して示す正面断面図である。
【図６】電池ボックス１２４を挿入方向奥側から見た平面図である。
【図７】電池ボックス１２４の奥部を示す分解斜視図である。
【図８】図６の８−８断面図である。
【図９】電池１６０を電池室１２２に装填した状態を示す正面断面図である。
【図１０】電池１６０が左右逆向きに挿入された状態を示す正面断面図である。
【図１１】電池室ユニット１２０の他の実施形態に係る電池室ユニット２２０を示す正面断面図である。
【符号の説明】
【００４３】
１００  デジタルカメラ、１０２  筐体、１０４  表示パネル、１０６  底面、１０８  操作部、１１０  開閉蓋、１１２  開口、１１４  ロック機構、１１６  ヒンジ、１２０  電池室ユニット、１２２  電池室、１２４  電池ボックス、１２６、１２８  側壁、１２９  ロック機構、１３０  奥壁、１３１  側壁、１３２  開口壁、１３３  スリット、１３４  凸部、１３５  棚部、１３６  開口、１３７  面、１３８  段差部、１３９  開口、１４０  端子部、１４２  プラス端子、１４４  温度センサ端子、１４６  マイナス端子、１５０  捩りコイルバネ、１５２  アーム部、１５４  コイル部、１５６  フック部、１５８  ピン、１５９  嵌合穴、１６０  電池、１６２  奥壁部、１６４  凹部、１６６  凹部、１７０  端子部、１７２  プラス端子、１７４  温度センサ端子、１７６  マイナス端子、２２０  電池室ユニット、２２４  電池ボックス、２２６、２２８  側壁、２３４  凸部、２６０  電池、２６２  奥壁部、２６４  凹部
【図１】
2010129474.tif 000003
【図２】
2010129474.tif 000004
【図３】
2010129474.tif 000005
【図４】
2010129474.tif 000006
【図５】
2010129474.tif 000007
【図６】
2010129474.tif 000008
【図７】
2010129474.tif 000009
【図８】
2010129474.tif 000010
【図９】
2010129474.tif 000011
【図１０】
2010129474.tif 000012
【図１１】
2010129474.tif 000013